(57)【特許請求の範囲】
【請求項１】
所定形状の基板と、
該基板の上面の一端部に、前記基板に対し角度調整可能に取り付けられている拡大レンズと、
前記基板の上面の他端部に、前記上面との間に前記拡大レンズを収容する収容空間を形成可能に、かつ携帯情報端末を立て掛けることができる形状に形成可能に、その基端部が接続されている第１の可変板と、
前記基板の下面の一端部に、前記基板を嵩上げする支持部を形成可能に、その基端部が接続されている第２の可変板とを備え、
前記第２の可変板は、所要幅で前記基板の横方向の長さと同じ長さの細板を、表面に張った樹脂シートで縦方向へ複数枚を接続し、前記各細板の境界部分において前記樹脂シートとは反対側に拡がるＶ字溝を等間隔で設けた構造であり、平板状に伸長したときは、前記基板と略同じ大きさで前記基板の下面を覆うことができ、前記基板を嵩上げする際、前記Ｖ字溝がある面側へ曲げて曲がり板状としたときの曲がった部分の曲がりの度合いは略一定であり、前記曲がった部分の前後方向の位置を調整することにより、基板の傾斜角度を調整可能である
携帯情報端末用拡大鏡。
【請求項２】
前記第１の可変板又は前記第２の可変板、或いは前記第１の可変板及び前記第２の可変板は、多角筒状に変形可能であると共に、その形態を維持可能である
請求項１記載の携帯情報端末用拡大鏡。
【請求項３】
前記基板の上面において、前記第１の可変板の接続部寄りに、載置した携帯情報端末をその位置に止めるための滑り止めが設けられている
請求項１又は２記載の携帯情報端末用拡大鏡。
【請求項４】
前記拡大レンズが、折り畳み時の角度と使用時の角度に調整可能であり、かつ使用時の角度は、互いに異なる複数の角度に設定可能である
請求項１、２又は３記載の携帯情報端末用拡大鏡。
【請求項５】
前記拡大レンズは、前記基板の上面に対して回動可能に取り付けられたレンズ固定板に固定され、該レンズ固定板の先部には支脚板が上下方向に回動可能に接続されており、前記基板の上面には三条のＶ字溝が縦方向へ並んで設けられ、前記支脚板の先端縁部を前記各Ｖ字溝に係合させて前記拡大レンズの角度を調整可能である
請求項４記載の携帯情報端末用拡大鏡。
【請求項６】
前記拡大レンズが平面レンズである
請求項１、２、３、４又は５記載の携帯情報端末用拡大鏡。
【発明の詳細な説明】
【技術分野】
【０００１】
本発明は、スマートフォン等の携帯情報端末のディスプレイ画面を拡大して見ることができる携帯情報端末用拡大鏡に関するものである。
【背景技術】
【０００２】
携帯情報端末であるスマートフォンは、近年、ディスプレイ画面が大型化しているとは言っても、７インチ程度である。また、一方で、ディスプレイ画面での直感的な操作が可能なスマートフォンは、高齢者にも徐々に普及してきている。
【０００３】
しかし、大きくなったディスプレイ画面でも、高齢者にとっては、まだ充分に大きいとはいえない。特に、メールの文字を打つ際には、老眼鏡を掛けて操作している人も多い。そこで、ディスプレイ画面を拡大して見ることができるものとして、例えば特許文献１に記載の「携帯電話機用映像拡大レンズ」が提案されている。
【０００４】
この携帯電話機用映像拡大レンズは、支柱の下端部にクリップを回動自在に取り付け、支柱の上端部にレンズ枠を回動自在に取り付け、レンズ枠に拡大レンズを嵌着した構造を有しており、クリップを介して携帯電話機に取り付けることで、拡大レンズによってディスプレイ画面を拡大して鮮明な映像や文字を見ることができるものである。
【先行技術文献】
【特許文献】
【０００５】
【特許文献１】特開２０１３−７０３５２号公報
【発明の概要】
【発明が解決しようとする課題】
【０００６】
しかしながら、特許文献１に開示された「携帯電話機用拡大レンズ」には、次のような課題を生じていた。すなわち、表面が平滑なディスプレイをクリップで挟むようにして取り付けるので、クリップが滑って動きやすく、支柱と拡大レンズの位置が安定しにくいという問題があった。
【０００７】
このため、当初、ディスプレイ画面に対する拡大レンズの位置を適正に決めていても、使用中にずれてしまったり、クリップがディスプレイから外れたりすることもある等、使いにくいところがあった。また、ディスプレイの、クリップが当たる部分に擦り傷等の、いわゆる小傷が付きやすいという問題もあった。
【０００８】
更には、使用しないときにも、拡大レンズが、常に露出している構造であるため、他所との接触で傷付きやすく、それを防ぐには、例えば収容するための袋を用意する等、対策が必要であった。
【０００９】
本発明は、以上の点を鑑みて創案されたものであり、携帯情報端末のディスプレイ画面を拡大して見るときに、拡大レンズと携帯情報端末の位置関係を安定的に維持することができると共に、使用しないときは、拡大レンズが他所と接触して傷付くことを抑制できる、携帯情報端末用拡大鏡を提供することを目的とする。
【課題を解決するための手段】
【００１０】
〔１〕上記の目的を達成するために、本発明に係る携帯情報端末用拡大鏡は、所定形状の基板と、基板の上面の一端部に、前記基板に対し角度調整可能に取り付けられている拡大レンズと、基板の上面の他端部に、上面との間に拡大レンズを収容する収容空間を形成可能に、かつ携帯情報端末を立て掛けることができる形状に形成可能に、その基端部が接続されている第１の可変板とを備える。
【００１１】
携帯情報端末用拡大鏡は、拡大レンズが、基板の上面の一端部に、基板に対し角度調整可能に取り付けられているので、所定の位置に置かれる携帯情報端末の画面を拡大して見るのに好適な角度に調整することができる。
【００１２】
また、第１の可変板が、基板の上面の他端部に、上面との間に拡大レンズを収容する収容空間を形成可能に基端部が接続されているので、第１の可変板で覆われた収容空間の内部に拡大レンズを収容することができる。これにより、拡大レンズが、他所との接触で傷付くことを抑制できる。
【００１３】
かつ、第１の可変板が、基板の上面の他端部に、携帯情報端末を立て掛けることができる形状に形成可能に、基端部が接続されているので、基板との間に携帯情報端末を立て掛けて、画面を適宜角度で立てることができる。
【００１４】
〔２〕本発明に係る携帯情報端末用拡大鏡は、前記基板の下面の一端部に、同基板を嵩上げする支持部を形成可能に、その基端部が接続されている第２の可変板とを備える構成とすることもできる。
【００１５】
この場合は、第２の可変板が、基板の下面の一端部に、基板を嵩上げする支持部を形成可能に基端部が接続されているので、机天板の上面等に置いたときに、支持部によって、基板を拡大レンズの取り付け部の方向へ上り傾斜するように傾斜させることができる。
【００１６】
これにより、使用者が、例えば比較的高い位置から見るときに、特に使用者の縦方向の視野角の中に、拡大レンズと、その向こう側の携帯情報端末が収まりやすい。従って、使用者は、頭を下げて拡大レンズを覗き込むような無理な姿勢を取ることなく、携帯情報端末の画面を拡大して見ることができる。
【００１７】
〔３〕本発明に係る携帯情報端末用拡大鏡は、前記第１の可変板又は前記第２の可変板、或いは前記第１の可変板及び前記第２の可変板は、平板状、筒状又は曲がり板状の各形態に変形可能であると共に、各形態を維持可能である構成とすることもできる。
【００１８】
この場合は、第１の可変板と第２の可変板は、平板状とすることで、携帯情報端末用拡大鏡の厚みを薄く形成することができ、折り畳んだときの形態をコンパクトなデザインとすることに寄与できる。
【００１９】
また、筒状とすることで、携帯情報端末を立て掛けたり、基板を嵩上げしたりするのに好適な形状となる。更に、曲がり板状とすることで、基板の他端部を支点として傾斜させる際に、その曲がる部分の位置を変えることにより、傾斜の調整が可能である。
【００２０】
〔４〕本発明に係る携帯情報端末用拡大鏡は、第１の可変板又は第２の可変板の、筒状の形態が多角筒である構成とすることもできる。
【００２１】
この場合は、可変板の筒状の形態が多角筒であることにより、可変板を筒状又は曲がり板状の各形態に形成し、その形態を維持する際に、多角筒を構成する平板同士を合わせることにより、接合面同士がずれにくくなり、採用できる接合手段の選択肢が増える等、形態の維持が容易にできるようになる。
【００２２】
〔５〕本発明に係る携帯情報端末用拡大鏡は、基板の上面において、第１の可変板の接続部寄りに、載置した携帯情報端末用拡大鏡をその位置に止めるための滑り止めが設けられている構成とすることもできる。
【００２３】
この場合は、第１の可変板を、携帯情報端末を立て掛けることができる形状に形成し、携帯情報端末を立て掛けて、滑り止めの上に置いたときに、滑り止めと接触した部分はその位置に止まり、位置がずれにくい。これにより、立て掛けた携帯情報端末の位置や画面の傾きを、設定状態で維持できる。
【００２４】
〔６〕本発明に係る携帯情報端末用拡大鏡は、拡大レンズが、折り畳み時の角度と使用時の角度に調整可能であり、かつ使用時の角度は、互いに異なる複数の角度に設定可能である構成とすることもできる。
【００２５】
この場合は、携帯情報端末用拡大鏡を折り畳む際に、拡大レンズを、折り畳み時の角度に調整することができる。また、携帯情報端末用拡大鏡を使用する際に、拡大レンズを、使用時の角度に調整することができる。このように、拡大レンズの角度は、折り畳み状態と使用状態に対応して調整することが可能である。
【００２６】
更に、拡大レンズは、使用状態において、互いに異なる複数の角度に設定可能である。拡大レンズの使用時における設定角度が複数あることにより、第１の可変板に携帯情報端末を立て掛けたときに、拡大レンズの角度を、例えば携帯情報端末の画面と平行に合わせる等、画面が見やすい角度に合わせやすくなる。
【００２７】
〔７〕本発明に係る携帯情報端末用拡大鏡は、拡大レンズが平面レンズである構成とすることもできる。
【００２８】
この場合は、拡大レンズが平面レンズであれば、レンズが平板状となり、厚みが薄くなるので、第１の可変板が基板との間に形成する収容空間を薄く（又は狭く）することができ、拡大レンズをコンパクトに収容することができる。
【発明の効果】
【００２９】
本発明は、携帯情報端末のディスプレイ画面を拡大して見るときに、拡大レンズと携帯情報端末の位置関係を安定的に維持することができると共に、使用しないときは、拡大レンズが他所と接触して傷付くことを抑制できる、携帯情報端末用拡大鏡を提供することができる。
【図面の簡単な説明】
【００３０】
【図１】本発明に係る携帯情報端末用拡大鏡の実施の形態を示す斜視図である。
【図２】図１の携帯情報端末用拡大鏡を逆のアングルで表すと共に、各部の透視部分を隠れ線で表した斜視図である。
【図３】携帯情報端末用拡大鏡の使用状態を示す側面視説明図である。
【図４】携帯情報端末用拡大鏡の使用状態を示す拡大レンズ側から見た斜視説明図である。
【図５】携帯情報端末用拡大鏡の他の使用例を示す側面視説明図である。
【図６】携帯情報端末用拡大鏡を不使用時に折り畳んだ状態を示す斜視図である。
【図７】図６におけるＡ−Ａ拡大断面図である。
【図８】本発明に係る携帯情報端末用拡大鏡の他の実施の形態を示す側面視説明図である。
【発明を実施するための形態】
【００３１】
図１乃至図７を参照して、本発明の実施の形態を詳細に説明する。
携帯情報端末用拡大鏡Ｌ１は、基板１と、拡大レンズ２と、第１の可変板である上部可変板３と、第２の可変板である下部可変板４とを備えている。なお、基板１、上部可変板３及び下部可変板４は、本実施の形態では、ＭＤＦ（Medium density fiberboard：中質繊維板）により形成されているが、これに限定せず、合成樹脂板等、他の材料で形成することもできる。
【００３２】
上記基板１は、長方形状で平板状の板体である。基板１は、本実施の形態では、縦２００ｍｍ×横２５０ｍｍで、厚さが２ｍｍに設定されている。なお、ここで縦は図３において左右方向であり、横は奥行き方向である。また、基板１の大きさは、これに限定せず、適宜設定することができる。
【００３３】
基板１の一端縁（図１で左側の端部）寄りの上面１０には、基板１の横方向（長手方向）と平行な縁部と平行に、一条のＶ字溝１９が基板１の全幅に渡る長さで設けられている（図５、図７参照）。Ｖ字溝１９は、後で説明する支脚板１３の先端縁部を係合させて、拡大レンズ２の角度を所定の角度で簡易的に固定するものである。
【００３４】
基板１の一端縁には、基板１の横方向と同じ長さの取り付け部材１１を介して、取り付け部材１１と同じ長さのレンズ固定板１２が上下方向に回動可能に接続されている。レンズ固定板１２の短手方向の先部には、上記拡大レンズ２がレンズ固定板１２と平行に固定されている。
【００３５】
なお、拡大レンズ２の基部の長手方向の両端部には、円形板状の磁石１６が埋め込まれている。また、基板１の下面１７の他端部には、後で説明するスペーサ部材１４と重なる位置の、横方向の両端部には、磁石１８が埋め込まれている。
【００３６】
また、レンズ固定板１２の短手方向の先端縁には、レンズ固定板１２の長手方向と同じ長さの支脚板１３が、拡大レンズ２とは別体として、上下方向に回動可能に接続されている。なお、レンズ固定板１２と支脚板１３を回動可能に接続する構造は、後で説明する上部可変板３及び下部可変板４と同様に、各板体１３０を、表面に張った樹脂シート１３１で接続し、各板体１３０の境界部分に、樹脂シート１３１とは反対側に拡がるＶ字溝１３２を設けたものである（図７参照）。
【００３７】
拡大レンズ２は、長方形状で平板状の平面レンズである。本実施の形態では、大きさが縦１４０ｍｍ×横２５０ｍｍのフレネルレンズを採用している。なお、拡大レンズとしては、対象物を必要な倍率で拡大して見ることができれば、フレネルレンズに限定せず、例えば薄い凸レンズ等の他の構造のレンズを採用することもできる。
【００３８】
また、拡大レンズ２の形状（外形）は長方形に限定せず、その他の多角形、或いは円形や楕円形等を採用することもできるし、例えば各種多角形で各角部のうちの全部又は一部の箇所を円弧状に丸く形成したもの等を採用することもできる。
【００３９】
上記上部可変板３は、基板１の他端部の上面１０に、縁部に沿って固定された所定の厚さのスペーサ部材１４を介し、その基端部が固定されている。本実施の形態では、スペーサ部材１４の厚さは、４ｍｍに設定されている。
【００４０】
なお、スペーサ部材１４の厚さはこれに限定せず、後で説明するように、平板状にした上部可変板３と基板１の間に形成される収容空間１５に拡大レンズ２を収容できれば、適宜厚さに設定可能である。また、本実施の形態では、拡大レンズ２が平面レンズであるので、収容空間１５を薄くすることができ、収容空間１５を形成するためのスペーサ部材１４の厚さも、薄くすることが可能である。
【００４１】
また、基板１の上面１０には、スペーサ部材１４に隣接して、所要幅で長さが基板１の長手方向よりやや短い滑り止め板５が張設されている。滑り止め板５は、ゴム製で、スマートフォンＳを置いたときに、スマートフォンＳが滑らないようにして、その位置に止めることができる。
【００４２】
上部可変板３は、所要幅で基板１の横方向の長さと同じ長さの細板３１（細板３１ａ、３１ｂを含む）を、表面に張った樹脂シート３２で縦方向へ複数枚（本実施の形態では、八枚）を接続し、各細板３１の境界部分において樹脂シート３２とは反対側に拡がるＶ字溝３３を設けた構造である。
【００４３】
また、上部可変板３の基部の、スペーサ部材１４に固定されている細板３１ａの長手方向の両端部には、円形板状の磁石３４が埋め込まれている。上部可変板３の先部の、細板３１ｂの長手方向の両端部には、伸長して上記レンズ固定板１２に合わせたときに、各磁石１６と対応する位置に、円形板状の磁石３５が埋め込まれている（図６、図７参照）。
【００４４】
上部可変板３の長手方向の両端部において、樹脂シート３２側には、所要の幅の補強シート３９が、上部可変板３の短手方向の全長に渡り、張設されている。なお、上部可変板３は、平板状に伸長したときは、基板１の上面１０を覆うことができるように、基板１と略同じ大きさの長方形状となる（図６、図７参照）。
【００４５】
そして、まず、拡大レンズ２を基板１に近付けるように倒し、上部可変板３を伸長しながら、拡大レンズ２に被せるように、細板３１ｂの各磁石３５を拡大レンズ２の基部の各磁石１６に磁着させることにより、上部可変板３を平板状態でほぼ維持することができる（図６、図７参照）。また、これにより、基板１と上部可変板３の間に、拡大レンズ２を収容するための収容空間１５を形成することができる。
【００４６】
Ｖ字溝３３の上部可変板３が平板状であるときの内角は、本実施の形態では約７０°である。図１乃至図３に示すように、上部可変板３を丸めて細板３１ａ、３１ｂを重ね、磁石３４、３５を磁着して多角筒状としたときには、七角筒を形成する。なお、上部可変板３が丸まったときに形成する角数は、七角に限定せず、上部可変板３の縦の長さや細板の幅（又は枚数）、或いはＶ字溝の角度の調整によって、適宜設定が可能である。
【００４７】
上記下部可変板４は、基板１の一端部の下面１７に、縁部に沿って、その基端部が固定されている。下部可変板４は、所要幅で基板１の横方向の長さと同じ長さの細板４１（細板４１ａ、４１ｂを含む）を、表面に張った樹脂シート４２で縦方向へ複数枚（本実施の形態では、八枚）を接続し、各細板４１の境界部分において樹脂シート４２とは反対側に拡がるＶ字溝４３を設けた構造である。
【００４８】
また、下部可変板４の基部の細板４１ａの長手方向の両端部には、円形板状の磁石４４が埋め込まれている。下部可変板４の先部の、細板４１ｂの長手方向の両端部には、伸長して基板１の下面１７に合わせたときに、各磁石１８と対応する位置に、円形板状の磁石４５が埋め込まれている（図７参照）。
【００４９】
下部可変板４の長手方向の両端部において、樹脂シート４２側には、所要の幅の補強シート４９が、下部可変板４の短手方向の全長に渡り、張設されている。なお、下部可変板４は、平板状に伸長したときは、基板１の下面１７を覆うことができるように、基板１と略同じ大きさの長方形状となる（図７参照）。
【００５０】
Ｖ字溝４３の下部可変板４が平板状であるときの内角は、本実施の形態では約７０°である。図１乃至図３に示すように、下部可変板４を丸めて細板４１ａ、４１ｂを重ね、磁石４４、４５を磁着して多角筒状としたときには、七角筒を形成する。また、下部可変板４が丸まったときに形成する角数は、七角に限定しないことは、上記上部可変板３と同様である。
【００５１】
なお、上部可変板３は、丸めることにより、スマートフォンＳを立て掛ける際の支える部分となり、下部可変部４は、丸めることにより、基板１の他端側を嵩上げして斜めの状態で支える部分となる。
【００５２】
（作用）
図１乃至図７を参照し、携帯情報端末用拡大鏡Ｌ１の作用及び使用方法を説明する。
携帯情報端末用拡大鏡Ｌ１は、使用しないときには、図６に示すように、嵩張らないように、ほぼ平板状に畳んでおくことができる。
【００５３】
（１）携帯情報端末用拡大鏡Ｌ１を使用する際には、図６及び図７に示す折り畳んだ状態から、まず、下部可変板４の先部に設けてある細板４１ｂの各磁石４５を、基板１の各磁石１８から磁着状態を解除するようにして外す。そして、下部可変板４を樹脂シート４２とは反対側へ曲げることにより、各Ｖ字溝４３が閉じて、所定の径を以て丸めることができる。
【００５４】
本実施の形態では、下部可変板４は、基部の細板４１ａに先部の細板４１ｂを合わせて、磁石４４、４５を磁着することにより、七角筒となり、細板４１ａと細板４１ｂがずれにくく、その形態を維持可能である。
【００５５】
（２）次に、上部可変板３の先部に設けてある細板３１ｂの各磁石３５を、拡大レンズ２の基部の各磁石１６から磁着状態を解除するようにして外す。そして、上部可変板３を樹脂シート３２とは反対側へ曲げることにより、各Ｖ字溝３３が閉じて、所定の径を以て丸めることができる。
【００５６】
本実施の形態では、上部可変板３は、基部の細板３１ａに先部の細板３１ｂを合わせて、磁石３４、３５を磁着することにより、七角筒となり、細板３１ａと細板３１ｂがずれにくく、その形態を維持可能である（図１乃至図３参照）。
【００５７】
（３）上部可変板３を筒状とした後、拡大レンズ２を起こし、支脚板１３を起こしてＶ字溝１３２を閉じて所定の角度に設定し、支脚板１３の先端部を基板１のＶ字溝１９に係合する。これにより、拡大レンズ２は、基板１に対し、所定の角度に設定される（図３参照）。
【００５８】
このように、携帯情報端末用拡大鏡Ｌ１は、拡大レンズ２を折り畳み時の角度（基板１とほぼ平行な角度）に調整することができると共に、支脚板１３をＶ字溝１９に係合させて、拡大レンズ２を使用時の角度、すなわち後で説明する立て掛けたスマートフォンＳの画面とほぼ平行な角度に調整することができる。
【００５９】
（４）携帯情報端末用拡大鏡Ｌ１を、机の天板６の上に置く。これにより、携帯情報端末用拡大鏡Ｌ１は、一端側は七角筒となった下部可変板４により支えられ、他端側は基板１のスペーサ部材１４が設けられている側の下角部で支えられる（図３参照）。
【００６０】
（５）そして、携帯情報端末であるスマートフォンＳの背側を、滑り止め板５と七角筒となった上部可変板３とに渡すようにして、適宜角度で立て掛ける（図３参照）。このとき、スマートフォンＳの画面（符号省略）を拡大レンズ２の角度と平行になるように立て掛けるのが、画面表示を見やすくするためには好ましいが、多少の角度の違いは許容される（図５では角度がやや違っているが、画面を見るのに支障はない）。
【００６１】
（６）使用者は、拡大レンズ２の前側（図３で左側）の椅子等に座って、比較的高い斜め上方から、拡大レンズ２を通してスマートフォンＳの画面を見ることにより、拡大されて見やすくなった画面を見ることができる（図４参照）。このとき、基板１が使用者に向けて上り傾斜することになるので、使用者の目線が画面と直角、又は直角に近い角度になり、画面が見やすくなる（図３参照）。
【００６２】
また、特に使用者の縦方向の視野角の中に、拡大レンズ２と、その向こう側のスマートフォンＳの画面が収まりやすい。従って、使用者は、例えば頭を下げて拡大レンズ２を覗き込むような無理な姿勢を取ることなく、スマートフォンＳの画面を拡大して見ることができる。また、使用者は、拡大された画面を見ながら、手を前に回して、指で画面を操作することもできる。
【００６３】
（７）図５は、携帯情報端末用拡大鏡Ｌ１の他の使用例を示すもので、下部可変板４を筒状とせず、曲がり板状としている。この形態では、各Ｖ字溝４３が等間隔で設けられている構造上、下部可変板４の曲がっている部分の曲がりの度合い（曲率）はほぼ一定となる。
【００６４】
つまり、下部可変板４が基板１を嵩上げする高さはほぼ一定であるが、下部可変板４の曲がっている部分の前後方向（図３で左右方向）の位置を調整することにより、基板１の傾斜角度を調整することができる。具体的には、曲がっている部分が、スペーサ部材１４に対し、より近い程、基板１の傾斜角は大きくなる。
【００６５】
（８）また、携帯情報端末用拡大鏡Ｌ１を使用しないときは、上記（１）〜（３）の手順を逆に辿る手順で、ほぼ平板状に畳むことができる。この畳んだ状態では、携帯情報端末用拡大鏡Ｌ１が嵩張らず、携帯しやすい。また、拡大レンズ２を、基板１と上部可変板３で囲まれた収容空間１５に収容することができるので、拡大レンズ２が他所との接触で傷付くことを抑制できる。
【００６６】
図８を参照する。なお、本発明の他の実施の形態である携帯情報端末用拡大鏡Ｌ２の、上記携帯情報端末用拡大鏡Ｌ１の各部と同様の箇所については、図８において同一の符号を付して示している。また、以下の説明において、同様箇所は、携帯情報端末用拡大鏡Ｌ１の説明を援用して説明を省略すると共に、相違する部分についてのみ説明する。
【００６７】
携帯情報端末用拡大鏡Ｌ２において、基板１ａの上面１０の一端縁（図８で左側の端部）寄りには、基板１ａの横方向と平行な縁部と平行に、三条のＶ字溝１９ａ、１９ｂ、１９ｃが、基板１ａの全幅に渡る長さで、縦方向（短手方向）に並んで設けられている（図８の拡大説明図参照）。
【００６８】
Ｖ字溝１９ａ、１９ｂ、１９ｃによれば、支脚板１３の先端縁部を係合させることにより、携帯情報端末用拡大鏡Ｌ２の使用時において、拡大レンズ２の角度を互いに異なる角度で三段階に設定することができる。なお、支脚板１３が、図８において最も左に位置するＶ字溝１９ａに係合したときに、基板１に対する拡大レンズ２の角度は最大となる。
【００６９】
また、拡大レンズ２が固定されているレンズ固定板１２ａは、互いに接続側の縁部が斜めにカットされた基板１との間に断面直角三角形状の取り付け部材１１を介在させ、上記樹脂シート１３１と連続する樹脂シート１３１ａによって、支脚板１３と共に接続されている。
【００７０】
そして、支脚板１３のＶ字溝１９ａ、１９ｂ、１９ｃに対する係合を外し、支脚板１３をレンズ固定板１２ａに対して直板状にして拡大レンズ２を折り畳んだとき、基板１、取り付け部材１１及びレンズ固定板１２ａは互いに密着するようになっているので、これらの各部と拡大レンズ２の収まりがよい。
【００７１】
このように、携帯情報端末用拡大鏡Ｌ２は、拡大レンズ２を折り畳み時の角度（基板１とほぼ平行な角度）に設定することができる。また、携帯情報端末用拡大鏡Ｌ２を使用する際に、拡大レンズ２を、支脚板１３をＶ字溝１９ａ、１９ｂ、１９ｃの何れか一つに係合させて、使用時の最も適正な角度に設定することができる。
【００７２】
つまり、拡大レンズ２は、設定角度を三段階に変えることができるので、上部可変板３にスマートフォンＳを立て掛けたときに、拡大レンズ２の角度を、スマートフォンＳの画面と平行に合わせる等、画面が見やすい角度に合わせやすくなる。また、Ｖ字溝は、上記のように一条又は三条の他、二条、或いは四条以上に適宜設定することができる。
【００７３】
なお、使用時において、拡大レンズ２の角度を所望の角度に設定する手段としては、上記構成に限定するものではなく、例えば拡大レンズ２の回動中心となるヒンジ部（図示省略）に部材間の摩擦や係止、係合を利用して段階的又は無段階的に拡大レンズ２の回動を止める機構等、公知の各種手段を採用することもできる。
【００７４】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００７５】
Ｌ１  携帯情報端末用拡大鏡
１  基板
１０  上面
１１  取り付け部材
１２  レンズ固定板
１３  支脚板
１３０  板体
１３１  樹脂シート
１３２  Ｖ字溝
１４  スペーサ部材
１５  収容空間
１６  磁石
１７  下面
１８  磁石
１９  Ｖ字溝
２  拡大レンズ
３  上部可変板
３１  細板
３１ａ  基部の細板
３１ｂ  先部の細板
３２  樹脂シート
３３  Ｖ字溝
３４  磁石
３５  磁石
３９  補強シート
４  下部可変板
４１  細板
４１ａ  基部の細板
４１ｂ  先部の細板
４２  樹脂シート
４３  Ｖ字溝
４４  磁石
４５  磁石
４９  補強シート
５  滑り止め板
６  天板
Ｓ  スマートフォン
Ｌ２  携帯情報端末用拡大鏡
１ａ  基板
１９ａ、１９ｂ、１９ｃ  Ｖ字溝
１２ａ  レンズ固定板
１３１ａ  樹脂シート
【要約】      （修正有）【課題】携帯情報端末のディスプレイ画面を拡大して見るときに、拡大レンズと携帯情報端末の位置関係を安定的に維持することができると共に、使用しないときは、拡大レンズが他所と接触して傷付くことを抑制できる、携帯情報端末用拡大鏡を提供する。【解決手段】携帯情報端末用拡大鏡Ｌ１は、長方形状の基板１と、基板１の上面１０の一端部に、角度調整可能に取り付けられている拡大レンズ２と、基板１の上面１０の他端部に、上面１０との間に拡大レンズ２を収容する収容空間を形成可能に、かつ携帯情報端末Ｓを立て掛けることができる形状に形成可能に、その基端部が接続されている上部可変板３と、基板１の下面の一端部に、基板１を嵩上げする支持部を形成可能に、その基端部が接続されている下部可変板４と、を備える。【選択図】図３【図１】
0006881792.tif 000002
【図２】
0006881792.tif 000003
【図３】
0006881792.tif 000004
【図４】
0006881792.tif 000005
【図５】
0006881792.tif 000006
【図６】
0006881792.tif 000007
【図７】
0006881792.tif 000008
【図８】
0006881792.tif 000009